(57)【要約】  車両内、特に機内エンターテインメント・システムにおけるデバイスの位置、タイプ、および量を決定する方法。発明主題の方法は、一般的な順序付け、間接順序付け、および直接順序付けを含む。間接順序付けでは、機内エンターテインメント・システムのワイヤレス・ネットワークに接続されている各デバイスが所定の順序で起動されることにより、機内エンターテインメント・システムは、それに接続されている様々なデバイスの位置を記録してそれらデバイスの位置を一連の潜在的なデバイス位置に相関付けることができる。直接順序付けでは、各デバイスからの上方が手動で収集されて潜在的なデバイス位置に相関付けされる。
2019505424.tif 000002
【特許請求の範囲】
【請求項１】
機内エンターテインメント・システムに関連付けられた一連のデバイスの位置を決定する方法であって、
一連の潜在的なデバイス位置の電子表現をサーバに記憶するステップと、
前記電子表現に基づく順序で前記一連のデバイスを起動することによって、前記機内エンターテインメント・システムにワイヤレス接続されている前記一連のデバイスの各デバイスを前記一連の潜在的なデバイス位置の固有位置にプロセッサにより自動的に関連付けるステップと、
を備える方法。
【請求項２】
デバイス・タイプを決定するステップをさらに備える請求項１に記載の方法。
【請求項３】
ポータブル電子デバイスを用いて前記一連のデバイスのうちの１つのデバイスのデバイス識別子を読み取るステップをさらに備え、前記関連付けるステップはさらに、読み取られた前記デバイス識別子に基づいて各デバイスを固有位置に関連付けることを含む、請求項１に記載の方法。
【請求項４】
前記機内エンターテインメント・システム用のワイヤレス・ネットワークをポーリングして前記ワイヤレス・ネットワークに接続されている前記一連のデバイスのデバイス群を特定するステップをさらに備える請求項１に記載の方法。
【請求項５】
前記ポーリングするステップはさらに、前記一連のデバイスの各デバイスのデバイス・タイプを決定することを含む、請求項４に記載の方法。
【請求項６】
機内エンターテインメント・システムに関連付けられた一連のデバイスの位置を決定する方法であって、
一連の潜在的なデバイス位置の電子表現を記憶するステップと、
前記電子表現に基づいた所定の順序付けした順で前記一連のデバイスの各デバイスを順に起動するステップと、
各デバイスが起動した順に基づいて、順に起動した各デバイスを前記一連の潜在的なデバイス位置の固有位置に関連付けるステップと、
を備える請求項１に記載の方法。
【請求項７】
前記機内エンターテインメント・システム用のワイヤレス・ネットワークをポーリングして接続デバイスを特定するステップをさらに備える請求項６に記載の方法。
【請求項８】
前記ポーリングするステップはさらに、前記一連のデバイスの各デバイスのデバイス・タイプを決定することを含む、請求項７に記載の方法。
【請求項９】
機内エンターテインメント・システムに関連付けられた一連のデバイスの位置を決定する方法であって、
一連の潜在的なデバイス位置の電子表現を記憶するステップと、
前記一連のデバイスのうちの１つのデバイスに関連付けられたデバイス識別子を手動で記録するステップと、
手動で記録された前記デバイス識別子に基づいて、前記デバイスを前記一連の潜在的なデバイス位置の固有位置に関連付けるステップと、
を備える方法。
【請求項１０】
前記手動で記録するステップはさらに、電子デバイスを用いて前記デバイス識別子を記録することを含む、請求項９に記載の方法。
【請求項１１】
前記関連付けるステップはさらに、電子デバイスを用いて、読み取られた前記デバイス識別子を前記固有位置に電子的に関連付けることを含む、請求項９に記載の方法。
【請求項１２】
前記デバイス識別子は、前記デバイスに結合された電子ディスプレイによって提示される視覚識別子である、請求項９に記載の方法。
【請求項１３】
前記デバイス識別子がバーコードである、請求項９に記載の方法。
【請求項１４】
前記デバイス識別子がＱＲコード（登録商標）である、請求項９に記載の方法。
【請求項１５】
前記手動で記録するステップは、電子デバイスを用いて、近距離無線通信（ＮＦＣ）プロトコルにより前記デバイス識別子を読み取ることを含む、請求項９に記載の方法。
【発明の詳細な説明】
【技術分野】
【０００１】
本発明の分野は、ワイヤレス・デバイスの位置決定である。
【背景技術】
【０００２】
機内エンターテインメント（ＩＦＥ）システムは、大抵の場合、航空機の各座席に固有のユニットを有する。例えば、背もたれディスプレイを含むシステムもあれば、オーバーヘッド・ディスプレイを含むシステムもあれば、これらの組み合わせを含むシステムもある。オーバーヘッドであるかまたは背もたれであるかによらず、ディスプレイ・ユニットは、典型的には、民間航空機の定位置に設置される。技術の進歩に伴って、異なるディスプレイ・ユニット間における有線通信の必要性がなくなっているが、完全ワイヤレスＩＦＥシステムにおいて、システム内の各ディスプレイ・ユニットのデバイス位置を登録する方法が必要とされている。
【発明の概要】
【発明が解決しようとする課題】
【０００３】
有線設置では、設置されたデバイスの物理的位置は、それらデバイス間のネットワーク接続のトポロジを分析することによって実行時に決定することができる。ワイヤレス設置においてこれは不可能であり、全てのワイヤレス・デバイスがネットワーク上にピアとして現れるため、それらデバイスの物理的位置をネットワーク・トポロジから推測することはできない。正確なシステム状態および障害を報告するために、さらには航空機の客室クラスまたは位置に基づく目的としたサービスの提供をサポートするために、全てのワイヤレス列線交換ユニット（ＬＲＵ）の物理的位置を知っている必要がある。
【０００４】
したがって、位置をデバイスに関連付ける改良された方法が依然として必要とされている。
【課題を解決するための手段】
【０００５】
本発明の主題の一態様において、機内エンターテインメント・システムに関連付けられた一連のデバイスの位置を決定する方法は、（１）一連の潜在的なデバイス位置の電子表現をサーバに記憶するステップと、（２）前記電子表現に基づく順序で前記一連のデバイスを起動することによって、前記機内エンターテインメント・システムにワイヤレス接続されている前記一連のデバイスの各デバイスを前記一連の潜在的なデバイス位置の固有位置にプロセッサにより自動的に関連付けるステップとを含む。
【０００６】
いくつかの実施形態において、方法はさらに、デバイス・タイプを決定するステップを含む。これは、ワイヤレス・ネットワークにポーリングして、そのワイヤレス・ネットワークに接続されている一連のデバイスを特定することによって達成することができる。
【０００７】
方法はさらに、ポータブル電子デバイスを用いてデバイスのデバイス識別子を読み取るステップを含み得る。この場合、前記関連付けるステップはさらに、読み取られた前記デバイス識別子に基づいて各デバイスを固有位置に関連付ける処理を含む。また、ワイヤレス・ネットワークに接続されたデバイスをポーリングすることは、前記ワイヤレス・ネットワークに接続されている各デバイスのデバイス・タイプを決定するステップを含み得る。
【０００８】
本発明の主題の別の態様において、機内エンターテインメント・システムに関連付けられた一連のデバイスの位置を決定する別の方法が考慮される。方法は、（１）一連の潜在的なデバイス位置の電子表現を記憶するステップと、（２）前記電子表現に基づいた所定の順序付けした順で前記一連のデバイスの各デバイスを順に起動するステップと、（３）各デバイスが起動した順に基づいて、順に起動した各デバイスを前記一連の潜在的なデバイス位置の固有位置に関連付けるステップとを含む。
【０００９】
いくつかの実施形態において、方法はさらに、前記機内エンターテインメント・システム用のワイヤレス・ネットワークをポーリングして接続デバイスを特定するステップを含む。前記ポーリングするステップはさらに、前記ネットワークに接続されている各デバイスのデバイス・タイプを決定するステップを含み得る。
【００１０】
本発明の主題の別の態様において、機内エンターテインメント・システムに関連付けられた一連のデバイスの位置を決定する方法が提供される。考慮される方法は、（１）一連の潜在的なデバイス位置を有するマップを記憶するステップと、（２）前記一連のデバイスのうちの１つのデバイスに関連付けられたデバイス識別子を手動で記録するステップと、（３）手動で記録された前記デバイス識別子に基づいて、前記デバイスを前記一連の潜在的なデバイス位置の固有位置に関連付けるステップとを含む。
【００１１】
いくつかの実施形態において、前記手動で記録するステップはさらに、電子デバイスを用いて前記デバイス識別子を記録することを含む。追加的または代替的に、前記関連付けるステップはさらに、電子デバイスを用いて、読み取られた前記デバイス識別子を前記固有位置に電子的に関連付けることを含み得る。いくつかの実施形態において、前記デバイス識別子は、前記デバイスと結合された電子ディスプレイによって提示される視覚的識別子（例えば、バーコードまたはＱＲコード（登録商標））である。
【００１２】
いくつかの実施形態において、前記手動で記録するステップは、電子デバイスを用いて、近距離無線通信（ＮＦＣ）プロトコルにより前記デバイス識別子を読み取ることを含む。
【図面の簡単な説明】
【００１３】
【図１】ＬＲＵ位置のマップを示す図。
【図２Ａ】順序付けを導入する前において、順序付けを行うために使用可能なディスプレイ・デバイスを示す図。
【図２Ｂ】順序付けを導入した後において、順序付けを行うために使用可能なディスプレイ・デバイスを示す図。
【図３】順序付けを容易化するためのバーコードを表示するＬＲＵを示す図。
【図４】一般的な順序付け方法のフローチャートを示す図。
【図５】間接順序付け方法のフローチャートを示す図。
【図６】直接順序付け方法のフローチャートを示す図。
【発明を実施するための形態】
【００１４】
本明細書中で特定された全ての刊行物は、個々の刊行物または特許出願が参照によって組み込まれるように具体的に且つ個別に示されているのと同程度に参照によって組み込まれる。組み込まれた参考文献における用語の定義または使用が本明細書で与えられるその用語の定義に矛盾するかまたは反する場合には、本明細書で与えられるその用語の定義が適用され、その参考文献におけるその用語の定義は適用されない。
【００１５】
本発明の主題の一態様において、ワイヤレス・デバイス位置を決定する方法が考慮される。この方法は、デバイス位置を取得するのに必要な時間を最小限に抑え、操作者のエラーの可能性を最小限に抑え、初期設置後の構成変更（ユニット修理交換など）をサポートし、列線交換ユニット（ＬＲＵ：Line Replaceable Unit）がそれらの物理的位置に適切に関連付けられていることの検証を提供する方法での手動メンテナンス動作の実行を含む。ＬＲＵという用語は、背もたれディスプレイ・ユニット、オーバーヘッド・ディスプレイ・ユニット、またはＩＦＥ（機内エンターテインメント）システムに実装される任意の他のユニットを指すことができる。
【００１６】
この出願で使用される場合、文脈上そうでないと言及しない限り、「〜に結合する」という用語は、直接結合（互いに結合された２つの要素が互いに接触する場合）と、間接結合（少なくとも１つの追加の要素が２つの要素間に位置する場合）の双方を含むことが意図される。したがって、「〜に結合された」および「〜と結合された」という用語は、同義語として使用される。
【００１７】
コンピュータに関する任意の言語は、サーバ、インターフェース、システム、データベース、エージェント、ピア、エンジン、コントローラ、あるいは個別または一体的に動作する他のタイプのコンピューティング・デバイスを含むコンピューティング・デバイスの任意の適切な組み合わせを含むと解釈されるべきである。当業者であれば、コンピューティング・デバイスは、有形の非一時的なコンピュータ可読記憶媒体（例えば、ハード・ドライブ、ソリッド・ステート・ドライブ、ＲＡＭ、フラッシュ、ＲＯＭなど）に記憶されたソフトウェア命令を実行するように構成されたプロセッサを含むと理解し得る。好ましくは、ソフトウェア命令は、開示された装置に関して以下に説明するように、役割、責任、または他の機能を提供するようにコンピューティング・デバイスを構成する。特に好ましい実施形態では、種々のサーバ、システム、データベース、インターフェースは、可能な場合には、ＨＴＴＰ、ＨＴＴＰＳ、ＡＥＳ、公開鍵と秘密鍵の交換、ウェブサービスＡＰＩ、既知の金融取引プロトコル、または他の電子情報交換方法に基づく標準化プロトコルまたはアルゴリズムを用いて、データを交換する。データ交換は、好ましくは、パケット交換ネットワーク、インターネット、ＬＡＮ、ＷＡＮ、ＶＰＮ、または他のタイプのパケット交換ネットワークを介して行われる。
【００１８】
本発明者らは、直接順序付けおよび間接順序付けという２つの異なる種類の順序付けを考慮している。
本発明の主題に従って、種々のＬＲＵタイプを使用することができる。いくつかの実施形態において、全てのＬＲＵは同じタイプであるが、本発明者らはＩＦＥシステムが複数の異なるタイプのＬＲＵを組み込まれ得ることも考慮している。本発明の主題の方法は、どのＬＲＵタイプがＩＦＥシステムで使用されているかを決定するステップを含み得るが、このステップは必須ではない。
【００１９】
ＬＲＵタイプは自動または手動で決定され得る。例えば、ＬＲＵが全てＩＦＥシステムにワイヤレスで接続されている場合、ＩＦＥシステムはどのＬＲＵが接続されているかをワイヤレスで決定することができる。あるいは、ＩＦＥシステムにどのＬＲＵが接続されているかを人がＩＦＥシステムに手動で入力することができる。ＬＲＵは、例えば、ＭＡＣアドレス、ＩＰアドレス、シリアル番号、または任意の他の固有識別子または割り当て識別子によって特定することができる。概して、直接順序付けは一度に単一のＬＲＵタイプについて実行されるが、２つ以上のタイプの直接順序付けも可能である。
【００２０】
直接順序付けが始まる前、全てのＬＲＵの公称位置はＩＦＥシステム・コントローラに知られている。通常、この情報はＩＦＥシステム・コントローラの航空機構成データベース（ＡＣＤ）に格納される。例えば、所与の航空機の場合、システム・コントローラは、その航空機の構成にいくつのＬＲＵ（または、例えば、オーバーヘッド・ディスプレイ・ユニット）が存在し、また、それらのＬＲＵがどの座席／列の位置に設定されているかを知る。換言すれば、ＬＲＵの位置を特定する航空機のマップを使用して、ＬＲＵの位置を追跡することができる。このマップは、航空機のタイプと実施されるＩＦＥ設定とに応じて異なり得る。
【００２１】
図１は、ＬＲＵが背もたれに配置される場合における考えられるマップ１００の視覚的表現を示している。背もたれはシート位置１０２として表されている。マップ１００は、例えば、制御パネルまたはポータブル電子デバイス上に表示され得る。
【００２２】
ＬＲＵの実際の直接順序付けは、メンテナンス動作として開始することができる。いくつかの実施形態において、直接順序付けは乗務員パネルから開始することができるが、他の実施形態では、ＩＦＥシステムのネットワークに接続された任意の接続ＬＲＵまたは他のデバイスで開始することができる。
【００２３】
開始されると、直接順序付けは多数のステップの完了によって実行される。必要なステップを完了するために、各ＬＲＵは直接順序付けインターフェースを有する。ＩＦＥシステムに接続された（すなわち、「順序付けプール」内の）各ＬＲＵは、好ましくは、「順序付け押下イベント」を認識してネットワークに報告可能な入力制御を実施する。この入力制御は、典型的にはボタンであるが、タッチ・スクリーン、容量性または抵抗性のタッチ領域、仮想近接場データ検出器、ＩＲセンサなどを使用して実施することができる。図２Ａは、順序付け押下イベントを登録する入力２０２を有するタッチ・スクリーン２００を示す。
【００２４】
順序付けプール内の各ＬＲＵは、好ましくは、操作者によって検出可能な出力デバイスも実装する。出力デバイスは、典型的には光であるが、ビデオ・ディスプレイ、ＬＣＤ、ＬＥＤ、近接場データエミッタ、ＩＲエミッタなどによって実装することができる。出力デバイスは、順序付け状態および未順序付け状態の２つの状態を示すことが最低限可能とされなければならない。直接順序付け時間およびエラー耐性を最適化するために追加の情報が表示されてもよい。
【００２５】
出力デバイスに加えて、ＬＲＵ位置のマップは、ＬＲＵが特定の位置にいつ関連付けられたかを示すインジケータも含み得る。図１は、ＬＲＵが背もたれに配置される場合における考えられるマップ１００の視覚的表現を示している。このマップ上の各座席位置１０２は、ＬＲＵがマップ１００上の位置１０２にいつ関連付けられたかを示すインジケータ１０４も含むことができる。
【００２６】
直接順序付けの開始時、全てのＬＲＵは未順序付け状態に初期化される。そして、直接順序付けの間、全てのＬＲＵは、図２Ａにおいてタッチ・スクリーン２００として示されるその出力デバイス上に現在の状態（例えば、未順序付け／順序付け済み）を表示する。直接順序付けを実行するために、操作者（例えば、客室乗務員）は、順序付けプール内の各ＬＲＵ上の入力制御を所定の順で（例えば、左前方から後方へ、その後に、右後方から前方へ）起動する。例えば、図２Ａは、操作者が「押下して順序付けする」ボタン２０２（入力制御）を押して直接順序付け操作を実行する場合のタッチ・スクリーン２００のインターフェースを示している。所定の順で各ＬＲＵの入力制御２０２を起動することにより、ＩＦＥシステムは、ＩＦＥシステムのワイヤレス・ネットワークを介して各ＬＲＵを登録する。この登録は、各入力信号を位置マップ（例えば、図１に示されるＬＲＵマップ）上の位置にマッピングすることによって各ＬＲＵの位置がＩＦＥシステムに把握されるように行われる。
【００２７】
ＬＲＵの入力制御が起動されると、ＩＦＥシステム・コントローラは、所定の順序付けした順（公称位置マップによって決定される）に従って次に利用可能な物理的位置識別子をそのＬＲＵに関連付けて、そのＬＲＵの状態を「未順序付け」から「順序付け済み」に変更する。この状態の変更は図２Ｂのように各ＬＲＵ上に表示され得る。図２Ｂは、操作者が「押下して順序付けする」ボタンを押した後に図２Ａがどのように変化するかを示している。
【００２８】
直接順序付けが完了すると、直接順序付け検証が行われ得る。直接順序付け検証は、各ＬＲＵの出力デバイスをチェックして物理的位置識別子を確認することによって行うことができる。換言すれば、直接順序付け動作が確約されると、その直接順序付け動作によって決定された物理的位置識別子へのＬＲＵのマッピングがＩＦＥシステムによって採用される。結果が拒否された場合には、ＩＦＥシステムがＬＲＵの位置を考慮に入れる前に、直接順序付けを再度実行する必要がある。
【００２９】
いくつかのＬＲＵは、物理的位置識別子を表示することができる出力デバイスを有しておらず、これらの実施形態では、把握できることは、処理が正しく完了したかどうか検証するための「順序付け済み」または「未順序付け」の表示のみとなる。物理的位置識別子を表示することは、直接順序付けが適切に実行されたことを確認するのに役立つ。
【００３０】
間接順序付けは、あまり自動化されていない順序付け方法である。上記のように、間接順序付けは、各ＬＲＵとその物理的位置との間の関連性を決定するために任意の固有識別子の手動での観察、転記、および報告を使用する。これは、例えば、ＬＲＵ上の順序付けボタンを押下することによって所定の位置に存在するものとして自動的に登録される直接順序付けとは異なる。
【００３１】
直接順序付けと同様に、種々のＬＲＵタイプを使用することができる。いくつかの実施形態において、全てのＬＲＵは同じタイプであるが、本発明者らはＩＦＥシステムが複数の異なるタイプのＬＲＵが組み込まれ得ることも考慮している。本発明の主題の方法は、どのＬＲＵタイプがＩＦＥシステムで使用されているかを決定するステップを含み得るが、このステップは必須ではない。
【００３２】
ＬＲＵタイプは自動または手動で決定され得る。例えば、ＬＲＵが全てＩＦＥシステムにワイヤレスで接続されている場合、ＩＦＥシステムはどのＬＲＵが接続されているかをワイヤレスで決定することができる。あるいは、ＩＦＥシステムにどのＬＲＵが接続されているかを人がＩＦＥシステムに手動で入力することができる。ＬＲＵは、例えば、ＭＡＣアドレス、ＩＰアドレス、シリアル番号、または任意の他の固有識別子または割り当て識別子によって特定することができる。概して、間接順序付けは一度に単一のＬＲＵタイプについて実行されるが、２つ以上のタイプの順序付けも可能である。
【００３３】
間接順序付けが始まる前、全てのＬＲＵの公称位置をＩＦＥシステム・コントローラに知らせなければならない。通常、この情報はＩＦＥシステム・コントローラの航空機構成データベース（ＡＣＤ）に格納される。例えば、所与の航空機の場合、システム・コントローラは、その航空機の構成内にいくつのＬＲＵ（または、例えば、オーバーヘッド・ディスプレイ・ユニット）が存在し、また、それらのＬＲＵがどの座席／列の位置に設置されているかを知る。換言すれば、ＬＲＵの位置を特定する航空機のマップを使用して、ＬＲＵの位置を追跡することができる。このマップは、航空機のタイプと実施されるＩＦＥ設定とに応じて異なり得る。
【００３４】
ＬＲＵの実際の間接順序付けは、メンテナンス動作として開始することができる。いくつかの実施形態において、間接順序付けは乗務員パネルから開始することができるが、他の実施形態では、ＩＦＥシステムのネットワークに接続された任意の接続ＬＲＵまたは他のデバイスで開始することができる。
【００３５】
順序付けプール内の各ＬＲＵは、好ましくは、操作者によって検出可能な出力デバイスも実装する。出力デバイスは、典型的には光であるが、ビデオ・ディスプレイ、ＬＣＤ、ＬＥＤ、近接場データエミッタ、ＩＲエミッタなどによって実装することができる。出力デバイスは、順序付け状態および未順序付け状態の２つの状態を示し、且つ固有の「順序付け識別子」（sequencing identifier）を示すことが最低限可能とされなければならない。間接順序付け時間およびエラー耐性を最適化するために追加の情報が表示されてもよい。
【００３６】
間接順序付けの開始時、全てのＬＲＵには、固有の「順序付け識別子」が発行される。間接順序付けの間、全てのＬＲＵは、それらの順序付け識別子を（例えば、ブルートゥース（登録商標）、ＮＦＣ、Ｗｉ−Ｆｉ（登録商標）、または任意の他の電子または無線通信プロトコルを介して視覚的または電子的に）表示する。そして、間接順序付けを実行するために、操作者は、各ＬＲＵの順序付け識別子をそのＬＲＵの物理的位置識別子（例えば、最も近い座席位置）と関連づけて記録する。いくつかの実施形態において、順序付け識別子は、例えば電子ディスプレイ上にまたはＬＲＵの物理的構造の特徴（例えば、順序付け識別子を有するステッカーまたは印刷された特徴）として提示される視覚的識別子である。視覚的順序付け識別子の例としては、一次元視覚要素（例えば、ライン型のバーコード）または二次元視覚要素（例えば、クイックレスポンス（ＱＲ）コード（登録商標））が挙げられる。代替的にまたは付加的に、順序付け識別子は、例えば、近距離無線通信プロトコル（ＮＦＣ）、Ｗｉ−Ｆｉ、ブルートゥース、ＲＦＩＤ、または当該技術分野で知られている任意の他の無線プロトコルを介して、出力デバイスによって非視覚的に提示することができる。
【００３７】
記録は、手動で作成してシステムに入力する（例えば、乗組員パネルに入力する）ことができる。他の実施形態では、記録は、ワイヤレス・デバイスなどでリアルタイムに作成することができる。例えば、乗組員は、順序付け識別子を記録するために使用可能なポータブル電子デバイスを有し得る（または、いくつかの実施形態では、デバイスが順序付け識別子をスキャンし得る）。各順序付け識別子がそのデバイスに記録されると、その順序付け識別子に関連付けられたＬＲＵの位置がＩＦＥシステム内に登録される。これにより、ＩＦＥシステムにすでに知られている各公称位置に各ＬＲＵが本質的に割り当てられる。
【００３８】
間接順序付けが完了すると、間接順序付け検証が行われ得る。間接順序付け検証は、各ＬＲＵの出力デバイスをチェックして物理的位置識別子を確認することによって行うことができる。換言すれば、間接順序付け動作が確約されると、その間接順序付け動作によって決定された物理的位置識別子へのＬＲＵのマッピングがＩＦＥシステムによって採用される。結果が拒否された場合には、ＩＦＥシステムがＬＲＵの位置を考慮に入れる前に、間接順序付けを再度実行する必要がある。
【００３９】
間接順序付けを行うことが可能なＬＲＵの例が図３に示されている。ＬＲＵ３００は、そのディスプレイ上にバーコード３０２を提示する。間接順序付け処理を実行する操作を行う人は、ＬＲＵ３００の位置が上述した間接順序付け方法に従って決定されるように、このＬＲＵ３００に対応するバーコード３０２を所定の順にスキャンする。
【００４０】
いくつかのＬＲＵは、物理的位置識別子を表示することができる出力デバイスを有しておらず、これらの実施形態では、把握できることは、処理が正しく完了したかどうか検証するための「順序付け済み」または「未順序付け」の表示のみとなる。物理的位置識別子を表示することは、間接順序付けが適切に実行されたことを確認するのに役立つ。
【００４１】
一般的な順序付け方法４００の一例が図４に示されている。第１のステップ４０２において、一連の潜在的なデバイス位置の電子表現がサーバに記憶される。第２のステップ４０４において、電子表現に基づく順序でそれらデバイスを起動することによって、システムにワイヤレス接続されている各デバイスが固有位置にプロセッサにより自動的に関連付けられる。
【００４２】
これらの方法ステップ以外に、３つの任意選択ステップ４０６，４０８，４１０が考慮されている。任意選択ステップ４０６では、デバイス・タイプが決定される。任意選択ステップ４０８では、ポータブル電子デバイスを用いて、デバイスのデバイス識別子が読み取られる。関連付けるステップは、読み取られたデバイス識別子に基づいて各デバイスを固有位置に追加的に関連付けるように変更される。任意選択ステップ４１０では、ワイヤレス・ネットワークにポーリングして、ワイヤレス・ネットワークに接続されている一連のデバイスを特定する。
【００４３】
間接順序付け方法５００の例が図５に示されている。第１のステップ５０２において、一連の潜在的なデバイス位置の電子表現が（例えば、サーバに）記憶される。次のステップ５０４において、電子表現に基づいた所定の順序付けした順で一連のデバイスの各デバイスが順に起動される。次のステップ５０６において、各デバイスが起動した順に基づいて、順に起動した各デバイスが一連の潜在的なデバイス位置の固有位置に関連付けられる。
【００４４】
２つの任意選択ステップ５０８，５１０も、方法の一部として実行することができる。ステップ５０８において、機内エンターテインメント・システムにおけるワイヤレス・ネットワークがポーリングされて接続デバイスが特定される。ステップ５１０では、各デバイスのデバイス・タイプが決定される。
【００４５】
直接順序付け方法６００の例が図６に示されている。第１のステップ６０２において、一連の潜在的なデバイス位置の電子表現が（例えば、サーバに）記憶される。次のステップ６０４において、デバイスに関連付けられた各デバイス識別子が手動で記録される。次のステップ６０６において、手動で記録されたデバイス識別子に基づいて、一連の潜在的なデバイス位置の固有位置にデバイスが関連付けられる。次のステップ６０８において、電子デバイスは、解釈されたデバイス識別子を固有の位置に電子的に関連付けるために使用される。
【００４６】
２つの任意選択ステップ６１０，６１２も、方法の一部として実行することができる。ステップ６１０において、電子デバイス（例えば、携帯電話のようなモバイル・コンピューティング・デバイス）を用いて、近距離無線通信（ＮＦＣ）プロトコルを介してデバイス識別子を読み取る。ステップ６１２において、電子デバイスを用いてデバイス識別子を記録する。
【００４７】
いくつかの実施形態において、本発明の特定の実施形態を記載および特許請求するために使用される、成分の量や、濃度、反応条件などの特性を表す数字は、いくつかの場合では「約」という用語によって変更されることが理解される。したがって、いくつかの実施形態において、記載された説明および添付の特許請求の範囲に記載された数値パラメータは、特定の実施形態によって得られることが求められる所望の特性に応じて変化し得る近似値である。いくつかの実施形態において、数値パラメータは、報告された有効数字の数の観点で、通常の丸め技術を適用することによって解釈されるべきである。本発明のいくつかの実施形態の広い範囲を示す数値範囲およびパラメータは近似値ではあるが、特定の実施例に示された数値は、実施可能な程度で正確に報告されている。本発明のいくつかの実施形態で提示される数値は、それぞれの試験測定値に見られる標準偏差から必然的に生じる特定の誤差を含むことができる。
【００４８】
文脈上そうでないと言及しない限り、本明細書に記載される全ての範囲はそれらの端点を含むものとして解釈されるべきであり、オープンエンド範囲は商業的に実用的な値のみを含むと解釈されるべきである。同様に、文脈上そうでないと示さない限り、すべての値のリストは中間値を含むものとして考慮されるべきである。
【００４９】
本明細書の記載および特許請求の範囲を通じて使用される場合において、「１つ」の意味は、文脈上そうでないと明確に言及しない限り、複数の言及を含む。また、本明細書の記載で使用される場合、「〜内に」の意味は、文脈上そうでないと明確に言及しない限り、「〜内に」および「〜上に」を含む。
【００５０】
本明細書における値の範囲の列挙は、その範囲内に入る個々の値を個別に参照する簡略な方法として役立つことを単に意図するものである。本明細書中に他に示されない限り、ある範囲を有する個々の値は、本明細書中に個々に列挙されているものとして明細書内に組み込まれる。本明細書中に記載される全ての方法は、本明細書中で他に指示されない限り、または文脈によって明らかに矛盾しない限り、任意の適切な順序で実施され得る。本明細書の特定の実施形態に関して提供される任意の例およびすべての例、または例示的な言語（例えば、「など」）の使用は、単に本発明をよりよく示すことを意図しており、特許請求された本発明の範囲に対して制限を課すものではない。本明細書中のいかなる言葉も、本発明の実施に不可欠な任意の請求されていない要素を示すものとして解釈されるべきではない。
【００５１】
本明細書で開示される本発明の代替要素または代替実施形態のグループ分けは、限定として解釈されるべきではない。各グループの部材は、本明細書に記載されるグループまたは他の要素の他の部材と個別にまたは任意の組み合わせで参照および特許請求され得る。利便性および／または特許性の理由により、グループの１つ以上の部材を、あるグループに含めたり、あるグループから削除したりすることができる。そのような包含または欠失が生じる場合、明細書は変更されたグループを含むとみなされ、添付の特許請求の範囲で使用されるすべてのマーカッシュグループの記述を満たすものとみなされる。
【００５２】
本明細書の発明の概念から逸脱することなく、上記で説明した以外の多くの変更が可能であることが当業者には明らかである。したがって、本発明の主題は、添付の特許請求の範囲の思想を除いて制限されるものではない。また、明細書および特許請求の範囲の両方を解釈するにあたり、すべての用語は、文脈と一致する最も広い可能な方法で解釈されるべきである。特に、「含む」や「備える」という用語は、要素、構成要素、またはステップを非排他的な方法で参照するものと解釈されるべきであり、参照された要素、構成要素、またはステップが存在し得るか、利用され得るか、または、明示的には参照されていない他の要素、構成要素、またはステップと組み合わせられ得ることを示すものとして解釈されるべきである。明細書および請求項が、Ａ、Ｂ、Ｃ、…、Ｎからなる群から選択されたものの少なくとも１つに言及する場合、この文は、Ａ＋Ｎ、Ｂ＋Ｎなどを必要とするものではなく、グループの１つの要素のみを必要とするものと解釈されるべきである。
【図１】
2019505424.tif 000003
【図２Ａ】
2019505424.tif 000004
【図２Ｂ】
2019505424.tif 000005
【図３】
2019505424.tif 000006
【図４】
2019505424.tif 000007
【図５】
2019505424.tif 000008
【図６】
2019505424.tif 000009
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
機内エンターテインメント・システムに関連付けられた一連のデバイスの位置を決定する方法であって、
一連の潜在的なデバイス位置の電子表現をサーバに記憶するステップと、
前記機内エンターテインメント・システムにそれぞれワイヤレス接続されている一連のデバイスを前記電子表現に基づく順序で手動で起動するステップと、
前記起動の順番および記憶された前記電子表現に基づいて前記一連のデバイスの各デバイスを前記一連の潜在的なデバイス位置の固有位置にプロセッサにより自動的に関連付けるステップと、
を備える方法。
【請求項２】
デバイス・タイプを決定するステップをさらに備える請求項１に記載の方法。
【請求項３】
ポータブル電子デバイスを用いて前記一連のデバイスのうちの１つのデバイスのデバイス識別子を読み取るステップをさらに備え、前記関連付けるステップはさらに、読み取られた前記デバイス識別子に基づいて各デバイスを固有位置に関連付けることを含む、請求項１に記載の方法。
【請求項４】
前記機内エンターテインメント・システム用のワイヤレス・ネットワークをポーリングして前記ワイヤレス・ネットワークに接続されている前記一連のデバイスのデバイス群を特定するステップをさらに備える請求項１に記載の方法。
【請求項５】
前記ポーリングするステップはさらに、前記一連のデバイスの各デバイスのデバイス・タイプを決定することを含む、請求項４に記載の方法。
【請求項６】
機内エンターテインメント・システムに関連付けられた一連のワイヤレス・デバイスの位置を決定する方法であって、
一連の潜在的なデバイス位置の電子表現を記憶するステップと、
ポータブル電子デバイスを用いて、前記一連のワイヤレス・デバイスのうちの第１デバイスに関連付けられるとともに前記第１デバイスに固有の第１デバイス識別子を手動で記録するステップと、
記録した前記第１デバイス識別子を前記ポータブル電子デバイスを用いて読み取り、読み取った前記第１デバイス識別子および前記電子表現に基づいて、前記第１デバイスを前記一連の潜在的なデバイス位置の固有第１位置に関連付けるステップと、
前記ポータブル電子デバイスを用いて、前記一連のワイヤレス・デバイスのうちの第２デバイスに関連付けられるとともに前記第２デバイスに固有の第２デバイス識別子を手動で記録するステップと、
記録した前記第２デバイス識別子を前記ポータブル電子デバイスを用いて読み取り、読み取った前記第２デバイス識別子および前記電子表現に基づいて、前記第２デバイスを前記一連の潜在的なデバイス位置の固有第２位置に関連付けるステップと、を備え、
前記第１デバイス識別子を手動で記録するステップと前記第２デバイス識別子を手動で記録するステップとは、前記電子表現に基づく順序で生じ、前記一連のワイヤレス・デバイスは各々、前記機内エンターテインメント・システムに接続されている、方法。
【請求項７】
前記第１デバイス識別子は、前記第１デバイスの電子ディスプレイ上に提示される視覚識別子である、請求項６に記載の方法。
【請求項８】
前記第１デバイス識別子がバーコードである、請求項６に記載の方法。
【請求項９】
前記第１デバイス識別子がＱＲコード（登録商標）である、請求項６に記載の方法。
【請求項１０】
前記手動で記録するステップは、前記ポータブル電子デバイスを用いて、近距離無線通信（ＮＦＣ）プロトコルにより前記デバイス識別子を読み取ることを含む、請求項６に記載の方法。
【国際調査報告】
2019505424.tif 000010
2019505424.tif 000011
2019505424.tif 000012
2019505424.tif 000013